(57)【要約】      （修正有）【課題】陶磁器の見た目の美しさや高級感を保つことができ、また使用時に受け皿に溜まった水が露出しにくい陶磁器製植木鉢を提供する。【解決手段】陶磁器製植木鉢は、周壁３２を有する受け皿３と、周壁３２に対して取外し可能に載り、底部２１に受け皿３内に通じる貫通孔２５が形成された鉢本体２と、を備える。受け皿３の周壁３２に鉢本体２が載っているため、鉢本体２と受け皿３とに一体感があり、見た目の美しい植木鉢とすることができ、受け皿３に溜まった水が露出しない。【選択図】図３
0003229809.tif 000002
【実用新案登録請求の範囲】
【請求項１】
陶磁器製の植木鉢であって、
周壁を有する受け皿と、
前記周壁に対して取外し可能に載り、底部に前記受け皿内に通じる貫通孔が形成された鉢本体と、
を備える、
陶磁器製植木鉢。
【請求項２】
前記受け皿は、前記周壁を貫通する通気孔が形成されている、
請求項１記載の陶磁器製植木鉢。
【請求項３】
前記鉢本体は、前記底部の下面から下方向に突出し前記受け皿の前記周壁の内側に位置する突出部を有する、
請求項１又は請求項２記載の陶磁器製植木鉢。
【請求項４】
前記受け皿の前記周壁の外面と前記鉢本体の外面との接続部分が面一である、
請求項１〜３のいずれか一項に記載の陶磁器製植木鉢。
【請求項５】
前記鉢本体の下端部は、下方向にいくに従って外径が小さくなるように形成されており、
前記受け皿の前記周壁の外径は、上端が前記鉢本体の下端部の接続部分の外径と同じであり、かつ下方向にいくに従って外径が小さくなるように形成されている、
請求項４記載の陶磁器製植木鉢。
【請求項６】
前記受け皿は、吊り具が取り付けられる吊り具取付け部を有する、
請求項１〜６のいずれか一項に記載の陶磁器製植木鉢。
【請求項７】
前記鉢本体の底部は、下面が曲面状に形成されており、
前記鉢本体は、前記鉢本体の底部と前記受け皿の前記周壁との位置関係を変えることにより、前記鉢本体の上開口面の水平面に対する角度が可変となるように構成されている、
請求項１〜６のいずれか一項に記載の陶磁器製植木鉢。
【請求項８】
前記受け皿の上端の開口面は、前記鉢本体の上端の開口面よりも小さい、
請求項１〜７のいずれか一項に記載の陶磁器製植木鉢。
【考案の詳細な説明】
【技術分野】
【０００１】
本考案は、陶磁器製植木鉢に関する。
【背景技術】
【０００２】
特許文献１には、従来の植木鉢が記載されている。特許文献１記載の植木鉢は、素焼き又は陶器製であり、底面が板状の底部材で構成されている。底部材には、水抜き穴が形成されており、植木鉢に植えられた植物に水やりを行った際、余剰分の水は水抜き穴から下に抜ける。
【０００３】
このため、通常、植木鉢には、受け皿が設けられる。
【先行技術文献】
【特許文献】
【０００４】
【特許文献１】特開２０１４−２１７３２４号公報
【考案の概要】
【考案が解決しようとする課題】
【０００５】
しかしながら、植木鉢を受ける受け皿は植木鉢よりも大きく、植木鉢の側面に対して受け皿の周壁が離れているため、受け皿に溜まった水が露出し、見た目の美しさを損なう可能性がある。また、陶磁器製の植木鉢としてデザイン性や高級感があっても、受け皿がプラスチック製であることが多く、一体感がなく、見た目の美しさが損なわれてしまう。
【０００６】
本考案は、上記事情に鑑みてなされ、陶磁器の見た目の美しさや高級感を保つことができ、また使用時に受け皿に溜まった水が露出しにくい陶磁器製植木鉢を提供することを目的とする。
【課題を解決するための手段】
【０００７】
本考案に係る一態様の陶磁器製植木鉢は、周壁を有する受け皿と、前記周壁に対して取外し可能に載り、底部に前記受け皿内に通じる貫通孔が形成された鉢本体と、を備える。
【０００８】
本考案に係る陶磁器製植木鉢では、上記態様において、前記受け皿は、前記周壁を貫通する通気孔が形成されていることが好ましい。
【０００９】
本考案に係る陶磁器製植木鉢では、上記態様において、前記鉢本体は、前記底部の下面から下方向に突出し前記受け皿の前記周壁の内側に位置する突出部を有することが好ましい。
【００１０】
本考案に係る陶磁器製植木鉢では、上記態様において、前記受け皿の前記周壁の外面と前記鉢本体の外面との接続部分が面一であることが好ましい。
【００１１】
本考案に係る陶磁器製植木鉢では、上記態様において、前記鉢本体の下端部は、下方向にいくに従って外径が小さくなるように形成されており、前記受け皿の前記周壁の外径は、上端が前記鉢本体の下端部の接続部分の外径と同じであり、かつ下方向にいくに従って外径が小さくなるように形成されている。
【００１２】
本考案に係る陶磁器製植木鉢では、上記態様において、前記受け皿は、吊り具が取り付けられる吊り具取付け部を有することが好ましい。
【００１３】
本考案に係る陶磁器製植木鉢では、上記態様において、前記鉢本体の底部は、下面が曲面状に形成されており、前記鉢本体は、前記鉢本体の底部と前記受け皿の前記周壁との位置関係を変えることにより、前記鉢本体の上開口面の水平面に対する角度が可変となるように構成されていることが好ましい。
【００１４】
本考案に係る陶磁器製植木鉢では、上記態様において、前記受け皿の上端の開口面は、前記鉢本体の上端の開口面よりも小さいことが好ましい。
【考案の効果】
【００１５】
本考案に係る上記態様の陶磁器製植木鉢は、陶磁器の見た目の美しさや高級感を保つことができ、また使用時に受け皿に溜まった水が露出しにくい、という利点がある。
【図面の簡単な説明】
【００１６】
【図１】図１は、本考案の一実施形態に係る陶磁器製植木鉢の使用状態の斜視図である。
【図２】図２は、同上の陶磁器製植木鉢の正面図である。
【図３】図３は、同上の陶磁器製植木鉢の斜め下方から見た分解斜視図である。
【図４】図４は、同上の陶磁器製植木鉢の斜め上方から見た分解斜視図である。
【図５】図５は、同上の陶磁器製植木鉢の断面図である。
【図６】図６（Ａ）〜（Ｃ）は、変形例１に係る陶磁器製植木鉢の受け皿の斜視図である。
【図７】図７（Ａ）は、変形例２に係る陶磁器製植木鉢の斜視図である。図７（Ｂ）は、変形例２に係る陶磁器製植木鉢の使用状態参考図である。
【図８】図８（Ａ）〜（Ｄ）は、更なる変形例の一部破断した正面概略図である。
【図９】図９（Ａ）（Ｂ）は、更なる変形例の一部破断した正面概略図である。
【考案を実施するための形態】
【００１７】
＜実施形態＞
以下、本実施形態に係る陶磁器製植木鉢１について、詳細に説明する。
【００１８】
本実施形態に係る陶磁器製植木鉢１は、園芸植物Ｘ１を植えるための器である。陶磁器製植木鉢１は、内部に園芸植物Ｘ１が収まる鉢であればよく、土を入れて園芸植物Ｘ１を植えて使用してもよいし、ポリポットに植えられた園芸植物Ｘ１を収める鉢カバーとして使用してもよい。
【００１９】
園芸植物Ｘ１としては、例えば、観葉植物、多肉植物、熱帯植物、ハーブ、野菜、草花、山野草、コニファー、果樹等が挙げられる。園芸植物Ｘ１は、観賞用に用いられるが、それに限らず、例えば、育苗用に用いられてもよい。
【００２０】
陶磁器製植木鉢１は、陶磁器製であり、粘度から形作られ、焼成することで製造される。ここでいう「陶磁器」とは、素焼き、陶器及び磁器のいずれも含む。陶磁器を製造する際の焼成温度は、例えば、８００℃以上１４００℃以下であることが好ましい。
【００２１】
陶磁器製植木鉢１は、図２に示すように、受け皿３と、鉢本体２と、を備える。受け皿３及び鉢本体２は、上述したように、いずれも陶磁器製である。以下、受け皿３と鉢本体２のそれぞれについて、順に詳細に説明する。
【００２２】
（１）受け皿
受け皿３は、鉢本体２の下方に配置され、鉢本体２内から流れ落ちる水を受ける。受け皿３は、図３に示すように、鉢本体２に対して取外し可能に取り付けられている。受け皿３は、底壁３１と、底壁３１の外周から立ち上がる周壁３２と、を備える。受け皿３は、上面に開口面を有する容器状に形成されている。本実施形態に係る受け皿３は、図１に示すように、載置面Ｇ１に載って、鉢本体２を載置面Ｇ１上で支えることができる。
【００２３】
ここでいう「載置面Ｇ１」は、陶磁器製植木鉢１が載る面を意味する。載置面Ｇ１としては、特に制限はなく、例えば、テーブル面、床面、デッキの上面、キッチンカウンタの上面、机の上面、階段の上面、棚面、家具の上面等が挙げられる。
【００２４】
底壁３１は、図２に示すように、受け皿３の底を構成する部分である。底壁３１の下面は、下方向を向いており、載置面Ｇ１に対向する。底壁３１の下面は平面であり、図３に示すように、略円形状に形成されている。ただし、底壁３１の形状には制限はなく、例えば、略四角形状、略五角形状等の多角形状、楕円形状、長円形状等に形成されてもよい。また、後述するように、底壁３１の下面は平面でなくてもよく、曲面であってもよい。また、底壁３１は、周壁３２の下端に設けられているが、これに限らず、例えば、周壁３２の下端から数センチ程度上方に配置し、底壁３１と載置面Ｇ１との間に隙間が介在するように構成されてもよい。
【００２５】
周壁３２は、底壁３１を囲む壁である。周壁３２は、底壁３１に対して一体に形成されている。周壁３２は、上方向に進むに従って外径が拡がるように形成されており、鉛直面に対して傾斜している。周壁３２の上端面は、図４に示すように、円環状に形成されており、鉢本体２を支えることができる。ただし、周壁３２は、上方向に進むに従って外径が小さくなるように形成されてもよいし、上端と下端とで同径であってもよい。また、周壁３２は、上端面に直交する断面において、真っ直ぐな形状でなくてもよく、後述の「（２）変形例２」（図７参照）や「（３）変形例３」（図８（Ｃ）参照）に示すように、当該断面が曲板状であってもよい。
【００２６】
周壁３２の外面には、図３に示すように、模様が施されている。ここでは、模様は、複数の縦筋が周方向に間隔をおいて形成されているが、例えば、花柄模様、水玉模様、幾何学的な模様等、種々の模様を採用することができる。模様としては、表面を削ったり、穴を開けたりするような形によるものであってもよいし、絵付けによるものであってもよい。絵付けとしては、下絵と上絵を組み合わせてもよいし、本焼き後に装飾してもよい。
【００２７】
（２）鉢本体
鉢本体２は、園芸植物Ｘ１が植えられる部分であり、陶磁器製植木鉢１の主体を構成する。鉢本体２は、受け皿３の周壁３２に対して取外し可能に載る。鉢本体２は、図３に示すように、底部２１と、突出部２２と、側壁部２３と、を備える。鉢本体２は、上方から見て（以下、「平面視」）で、受け皿３よりも大径であり、受け皿３よりも大きく形成されている。
【００２８】
底部２１は、鉢本体２の底を構成する部分であり、受け皿３に載る部分である。底部２１は、本実施形態では、平面視略円形状に形成されている。底部２１の下面には、下方向に突き出る突出部２２が設けられている。突出部２２は、図５に示すように、受け皿３の周壁３２の内側に入り込み、受け皿３に対して鉢本体２が横ずれするのを防ぐ。つまり、突出部２２の外周面は、受け皿３の周壁３２の内周面に対向する。突出部２２の下面は、中央に近付くに従って下方向に進むように、載置面Ｇ１に対して傾斜している。ただし、突出部２２の下面は、載置面Ｇ１に平行であってもよい。
【００２９】
また、突出部２２としては、例えば、周壁３２の内周面に沿った円環状に形成されてもよいし、周壁部３２の内周面に沿う位置において部分的に形成されてもよい。
【００３０】
鉢本体２には、底部２１及び突出部２２を貫通する貫通孔２５が形成されている。鉢本体２は、貫通孔２５を通して、受け皿３の内部に通じている。また、底部２１の上面は、すり鉢状に傾斜しており、すなわち、貫通孔２５に向かって下り傾斜している。したがって、鉢本体２に収まる園芸植物Ｘ１に対して水やりをすると、水は、鉢本体２の底部２１の上面を伝って貫通孔２５に至り、貫通孔２５から受け皿３内に流れる。本実施形態に係る貫通孔２５は、鉢本体２の底部２１の中央部に形成されたが、例えば、底部２１の全面にわたって広範囲に形成された複数の小孔で構成されてもよいし、底部２１の中心周りに複数の貫通孔２５を並べてもよい。また、鉢本体の底部２１の上面は、載置面Ｇ１に平行であってもよく、すなわち貫通孔２５に向かって下り傾斜していなくてもよい。
【００３１】
側壁部２３は、底部２１の外周から上方向に延び出る部分であり、上端面で囲む部分に開口面（以下、「上開口面２４」という）が形成されている。側壁部２３の内部には、園芸植物Ｘ１を収める収納部が形成されている。したがって、園芸植物Ｘ１は、上開口面２４に対して上から通され、側壁部２３内の収納部に収まる。上開口面２４は、受け皿３の周壁３２の上端の開口面よりも大径である。言い換えると、上開口面２４の面積は、受け皿３の周壁３２の上端の開口面の面積よりも大きい。
【００３２】
（３）まとめ
以上説明したように、本実施形態に係る陶磁器製植木鉢１は、受け皿３の周壁３２に対して鉢本体２が載っている。このため、鉢本体２と受け皿３とに一体感があり、見た目の美しい植木鉢とすることができるうえに、受け皿３に溜まった水が露出しない。また、周壁３２に対して、鉢本体２が取外し可能に取り付けられているため、鉢本体２から流れた水や土等が受け皿３に溜まった場合でも、受け皿３のみを外して容易に掃除することができ、使い勝手もよい。
【００３３】
また、鉢本体２の底部２１に突出部２２が設けられているため、受け皿３に載った鉢本体２が受け皿３に対して横ずれするのを防ぐことができ、鉢本体２と受け皿３との一体感が崩れたり、鉢本体２が受け皿３の周壁３２から滑り落ちたりするのを防ぐことができる。
【００３４】
また、図２に示すように、受け皿３は鉢本体２よりも小さい上に、下方向にいくに従って小径となるように形成されている。このため、鉢本体２の下方でかつ受け皿３の側方には、スペースＳ１が生じる。園芸植物Ｘ１として、例えば、つる性植物が植えられた場合、つる性植物の鉢本体２から飛び出した部分を、スペースＳ１に収めることができ、植木鉢と園芸植物Ｘ１との一体感を醸し出すことができて、美しく見栄えがする園芸植物Ｘ１及び陶磁器製植木鉢１とすることができる。
【００３５】
＜変形例＞
上記実施形態は、本考案の様々な実施形態の一つに過ぎない。実施形態は、本考案の目的を達成できれば、設計等に応じて種々の変更が可能である。以下、本実施形態の変形例を説明する。
【００３６】
（１）変形例１
上記実施形態に係る受け皿３の周壁３２は、複数の縦筋が周方向に間隔をおいて形成されていたが、図６（Ａ）〜（Ｃ）に示すように、複数の孔が形成されてもよい。
【００３７】
図６（Ａ）に示すように、受け皿３の周壁３２には、複数の丸孔からなる通気孔３３が形成されている。通気孔３３は、受け皿３に受けられた水の蒸発を促進する。通気孔３３は、通気を行う機能に加えて、模様としても機能する。通気孔３３は、受け皿３の周壁３２の下端から所定寸法上方に位置している。したがって、受け皿３は、水を受ける機能を保ったまま、通気孔３３による水の蒸発を促進する機能を有し、さらに、模様がある見栄えのする受け皿３とすることができる。そのうえ、園芸植物Ｘ１の根に対して、より近い位置で酸素（空気）を供給することができ、園芸植物Ｘ１の発育を促進することができる。
【００３８】
図６（Ｂ）に示すように、受け皿３の周壁３２には、複数の角孔からなる通気孔３３が形成されている。この受け皿３も、図６（Ａ）の受け皿３と同様、水を受ける機能を保ったまま、通気孔３３による水の蒸発を促進する機能を有し、さらに、模様がある見栄えのする受け皿３とすることができる。そのうえ、園芸植物Ｘ１の根に対して、より近い位置で酸素（空気）を供給することができ、園芸植物Ｘ１の発育を促進することができる。
【００３９】
図６（Ｃ）に示すように、受け皿３の周壁３２には、複数の細隙からなる通気孔３３が形成されている。複数の細隙が放射状に並ぶことで模様が形成されている。この受け皿３も、図６（Ａ）（Ｂ）の受け皿３と同様、水を受ける機能を保ったまま、通気孔３３による水の蒸発を促進する機能を有し、さらに、模様がある見栄えのする受け皿３とすることができる。そのうえ、園芸植物Ｘ１の根に対して、より近い位置で酸素（空気）を供給することができ、園芸植物Ｘ１の発育を促進することができる。
【００４０】
なお、通気孔３３としては、一の孔で構成されてもよい。また、図６（Ａ）〜（Ｃ）では、通気孔３３は、周壁３２の厚さ方向にのみ開口し、孔の内周面は閉じていたが、例えば、周壁３２の上端面にも開口する切欠き状に形成されてもよい。
【００４１】
（２）変形例２
上記実施形態に係る陶磁器製植木鉢１は、載置面Ｇ１に載る構造であったが、本変形例では、図７（Ａ）（Ｂ）に示すように、壁面等に掛けられる。
【００４２】
図７（Ａ）に示すように、受け皿３は、球面状の底壁３１と円弧面状の周壁３２とで構成されており、底壁３１と周壁３２とはシームレスに連続している。すなわち、受け皿３は半球体である。受け皿３の周壁３２の上端には、鉢本体２が取外し可能に取り付けられている（載っている）。
【００４３】
受け皿３の周壁３２には、周方向に間隔をおいて、複数の吊り具取付け部４が形成されている。吊り具取付け部４は、吊り具５を取り付けるための部分である。吊り具取付け部４は、本変形例では、周壁３２を貫通する取付け孔で構成されているが、例えば、吊り具を引っ掛けるためのフックで構成されてもよい。受け皿３は、吊り具取付け部４に通された吊り具５によって吊り下げられる。本変形例に係る吊り具取付け部４は、周壁３２を周方向の全長を四等分する位置に配置されているが、三等分であってもよいし、五等分であってもよい。
【００４４】
なお、本変形例では、吊り具取付け部４によって受け皿３を吊ったが、例えば、吊り具取付け部４を設けず、ハンガーネットを用いて受け皿３を吊り下げ、受け皿３に鉢本体２を支持させてもよい。
【００４５】
（３）変形例３
本考案に係る陶磁器製植木鉢１としては、種々の形状を採用し得る。その具体例として、図８（Ａ）〜（Ｄ）の形状を採ることも可能である。
【００４６】
図８（Ａ）に示すように、鉢本体２の上下方向の中央から下端にかけた部分（鉢本体２の「下端部」という）は、下方向に進むに従って外径が小さくなるように形成されている。
【００４７】
受け皿３の周壁３２は、下端に向かうに従って小径となるように窄まっている。受け皿３の周壁３２の上端は、鉢本体２の下端部の接続部分の外径（つまり、鉢本体２の下端の外径）と略同じである。そして、受け皿３の周壁３２の外面と、鉢本体２の外面との接続部分が面一である。
【００４８】
ここでいう「面一」とは、受け皿３と鉢本体２との隣接部分において、外面同士が同レベルでかつ隙間なく隣り合っていることを意味する。したがって、受け皿３の周壁３２の外面と、鉢本体２の外面との接続部分が面一であると、鉢本体２と受け皿３との一体感が増す。
【００４９】
図８（Ｂ）に示すように、鉢本体２は、フルーツ皿状に形成されており、大口の上開口面２４を有する。鉢本体２の側壁部２３の下端部は、上端部に比べて小径である。側壁部２３の下端部は、浅底の受け皿３の周壁３２によって支えられている。
【００５０】
図８（Ｃ）に示すように、広く浅い鉢本体２としてもよい。この陶磁器製植木鉢１では、土を入れて複数種類の園芸植物Ｘ１を植えて寄せ植えを行うことができるし、また、複数種類の園芸植物Ｘ１が植えられた複数のポリポットを収容して寄せ植えを行ってもよい。このため、一の陶磁器製植木鉢１において、例えば、多種類の山野草を組み替えて、寄せ植えを楽しむことができる。受け皿３には、少なくとも３つ以上の脚６が設けられており、受け皿３は脚６によって載置面Ｇ１に支えられる。
【００５１】
図８（Ｄ）に示すように、鉢本体２を受け皿３に対して可動としてもよい。鉢本体２の底部２１は、下面が曲面状に形成されている。ここでいう「曲面状」は、断面円弧状であることが好ましく、アーチ状の曲面であってもよいし、ドーム状の曲面（つまり、半球面）であってもよい。
【００５２】
受け皿３の上端面には、鉢本体２の底部２１が載る。鉢本体２の底部２１の下面は曲面であるため、鉢本体２は、鉢本体２の底部２１と受け皿３の周壁３２との位置関係を変えることにより、鉢本体２の上開口面２４の水平面に対する角度が可変となる。これによって、植えられた園芸植物Ｘ１の向きを簡単に代えることができる。
【００５３】
図９（Ａ）に示すように、鉢本体２の底部２１から下方向に突出する覆い壁が形成されてもよい。覆い壁は、受け皿３の外周を覆う。覆い壁があることで、鉢本体２が受け皿３に載る部分の境界が隠されるので、より一体感を増すことができる。なお、図９（Ａ）では、覆い壁の下方から受け皿３の底壁３１の一部が露出しているが、覆い壁によって、受け皿３の底壁３１を全て覆い隠してもよい。
【００５４】
図９（Ｂ）に示すように、受け皿３の周壁３２を外側に膨出させてもよい。ここでは、鉢本体２と受け皿３とは、略相似形でかつ受け皿３をやや小さく形成しているが、受け皿３が鉢本体２と略同じサイズであってもよい。
【００５５】
（４）その他の変形例
以下、実施形態の変形例を列挙する。以下に説明する変形例は、適宜組み合わせて適用可能である。
【００５６】
鉢本体２は、下端に向かうに従って広がってもよい。また、上開口面２４の内径は、受け皿３の内径よりも小さくてもよく、全体として略卵形状の陶磁器製植木鉢１としてもよい。
【００５７】
また、複数の陶磁器製植木鉢１を一セットとして販売してもよい。例えば、サイズの異なる複数種類の陶磁器製植木鉢１を順に内部に収めれば、収納場所の省スペース化を図ることもできる。サイズの異なる複数種類の陶磁器製植木鉢１としては、大中小の三種類であってもよいし、四種類以上のサイズであってもよい。
【００５８】
また、複数種類の陶磁器製植木鉢１において、鉢本体２と受け皿３の接続部分のサイズを、すべて共通にしたり、複数サイズを規格化したりしてもよい。そうすれば、ユーザが複数種類の鉢本体２と、複数種類の受け皿３と、から一つずつを選択し、組み合わせて使用することができる。
【００５９】
鉢本体２の上開口面２４の内径には特に制限はない。また、受け皿３の周壁３２の内径についても、特に制限はない。受け皿３の周壁３２の内径と上開口面２４の内径は同じであってもよいし、受け皿３の周壁３２の内径よりも上開口面２４の内径が大きくてもよいし、受け皿３の周壁３２の内径よりも上開口面２４の内径が小さくてもよい。
【００６０】
受け皿３の周壁３２及び鉢本体２の側壁部２３には、水平面に沿う複数の横筋が上下方向に並ぶように形成されてもよい。複数の横筋が形成される範囲は、少なくとも、受け皿３の上端と鉢本体２の下端との境界に跨って形成される。これにより、横筋によって、受け皿３の上端と鉢本体２の下端との境界が横筋に紛れて目立たず、受け皿３と鉢本体２との視覚的な一体感が損なわれるのを防ぐことができる。
【符号の説明】
【００６１】
１        陶磁器製植木鉢
２        鉢本体
２１      底部
２２      突出部
２４      上開口面
２５      貫通孔
３        受け皿
３２      周壁
３３      通気孔
４        吊り具取付け部
５        吊り具
【図１】
0003229809.tif 000003
【図２】
0003229809.tif 000004
【図３】
0003229809.tif 000005
【図４】
0003229809.tif 000006
【図５】
0003229809.tif 000007
【図６】
0003229809.tif 000008
【図７】
0003229809.tif 000009
【図８】
0003229809.tif 000010
【図９】
0003229809.tif 000011